(57)【要約】【課題】パイロットバーナを連続燃焼させるガス焚きボイラにおいて、パイロットバーナへのガス供給圧が比較的低くても所期の運転を継続する。【解決手段】缶体２内の水管を加熱するメインバーナ３と、このメインバーナ３に点火するためのパイロットバーナ４とを備える。パイロットバーナ４において、連続燃焼を行う。パイロットバーナ４は、ガス昇圧装置２０またはエゼクタ２１を用いてガスが供給されるか、メインバーナ３の燃焼量が設定以上またはパイロットバーナ４へのガス供給圧が設定以下になると連続燃焼を停止する。【選択図】図１
2015190647.tif 000002
【特許請求の範囲】
【請求項１】
缶体内の水管を加熱するメインバーナと、このメインバーナに点火するためのパイロットバーナとを備え、
前記パイロットバーナにおいて、連続燃焼を行い、
前記パイロットバーナは、ガス昇圧装置またはエゼクタを用いてガスが供給されるか、前記メインバーナの燃焼量が設定以上または前記パイロットバーナへのガス供給圧が設定以下になると連続燃焼を停止する
ことを特徴とするボイラ。
【請求項２】
前記メインバーナに燃焼用空気を供給する送風機は、予混合気生成用のインペラ室への空気の吸込口にガス吸引機構が設けられ、
このガス吸引機構は、前記吸込口への空気の吸込みに伴いガスを吸引して空気と共に前記吸込口へ送り込む
ことを特徴とする請求項１に記載のボイラ。
【請求項３】
前記パイロットバーナへのガス供給路に、ガス昇圧装置が設けられ、このガス昇圧装置によりガスを加圧して前記パイロットバーナへ送り込む
ことを特徴とする請求項１または請求項２に記載のボイラ。
【請求項４】
前記パイロットバーナは、予混合バーナであり、
前記パイロットバーナへの燃焼用空気路に、エゼクタが設けられ、このエゼクタによりガスを吸引して燃焼用空気と共に前記パイロットバーナへ送り込む
ことを特徴とする請求項１または請求項２に記載のボイラ。
【請求項５】
前記メインバーナは、三位置以上で燃焼量が調整され、
前記メインバーナが高燃焼状態では、前記パイロットバーナの連続燃焼を停止する
ことを特徴とする請求項１〜４のいずれか１項に記載のボイラ。
【請求項６】
前記パイロットバーナへのガス供給圧が設定値以下になると、前記パイロットバーナの連続燃焼を停止するか、これに代えてまたはこれに加えて、前記缶体内の炉圧が所定値以上になると、前記パイロットバーナの連続燃焼を停止する
ことを特徴とする請求項１〜４のいずれか１項に記載のボイラ。
【請求項７】
前記パイロットバーナの停止状態から燃焼状態への移行時、前記メインバーナの燃焼中であっても、前記パイロットバーナの点火装置を作動させる
ことを特徴とする請求項５または請求項６に記載のボイラ。
【発明の詳細な説明】
【技術分野】
【０００１】
本発明は、ガス焚きのボイラに関するものである。
【背景技術】
【０００２】
従来、下記特許文献１の図１に開示されるように、送風機（５）からメインバーナ（２）へのダクト（６）において、送風機（５）からの燃焼用空気にガス供給路（１０）からのガスを噴出させて混合し、その予混合気をメインバーナ（２）において燃焼させるボイラ（１）が知られている。
【０００３】
この種のボイラにおいて、メインバーナ点火用のパイロットバーナを連続燃焼させたい場合がある。つまり、蒸気負荷との関係で両バーナを停止させると、再起動時のプレパージの送風により放熱損失が増すと共に、プレパージを実行する分だけ再起動が遅れることなどを考慮し、パイロットバーナを連続的に燃焼させておき、未燃ガスが缶体内に滞留するのを防止して、再起動時のプレパージをなくすことが行われる。
【先行技術文献】
【特許文献】
【０００４】
【特許文献１】特開２００６−２６６５３４号公報
【発明の概要】
【発明が解決しようとする課題】
【０００５】
パイロットバーナでの連続燃焼を行う場合、パイロットバーナへのガス供給圧を比較的高く保つ必要がある。高燃焼時の炉圧よりもガス供給圧が低い場合、パイロットバーナにガスを所望に供給できず、パイロットバーナを連続燃焼できない。
【０００６】
そこで、本発明が解決しようとする課題は、パイロットバーナを連続燃焼させるボイラにおいて、ガス供給圧が比較的低い場合（言い換えれば高燃焼時の炉圧より低い場合）に対応することにある。
【課題を解決するための手段】
【０００７】
本発明は、前記課題を解決するためになされたもので、請求項１に記載の発明は、缶体内の水管を加熱するメインバーナと、このメインバーナに点火するためのパイロットバーナとを備え、前記パイロットバーナにおいて、連続燃焼を行い、前記パイロットバーナは、ガス昇圧装置またはエゼクタを用いてガスが供給されるか、前記メインバーナの燃焼量が設定以上または前記パイロットバーナへのガス供給圧が設定以下になると連続燃焼を停止することを特徴とするボイラである。
【０００８】
請求項１に記載の発明によれば、パイロットバーナを連続燃焼させるボイラにおいて、パイロットバーナへのガスを、ガス昇圧装置で加圧するか、エゼクタで吸引して供給するか、あるいは、メインバーナの燃焼量またはパイロットバーナへのガス供給圧に応じて連続燃焼を停止することで、ガス供給圧が比較的低くても所期の運転を継続することができる。
【０００９】
請求項２に記載の発明は、前記メインバーナに燃焼用空気を供給する送風機は、予混合気生成用のインペラ室への空気の吸込口にガス吸引機構が設けられ、このガス吸引機構は、前記吸込口への空気の吸込みに伴いガスを吸引して空気と共に前記吸込口へ送り込むことを特徴とする請求項１に記載のボイラである。
【００１０】
請求項２に記載の発明によれば、メインバーナへの予混合気は、送風機への空気の吸込みを利用して、ガス吸引機構においてガスを吸引して得られる。そのため、ガス供給圧が比較的低くても、メインバーナにおいても所期の燃焼を図ることができる。
【００１１】
請求項３に記載の発明は、前記パイロットバーナへのガス供給路に、ガス昇圧装置が設けられ、このガス昇圧装置によりガスを加圧して前記パイロットバーナへ送り込むことを特徴とする請求項１または請求項２に記載のボイラである。
【００１２】
請求項３に記載の発明によれば、ガス供給圧が比較的低くても、ガス昇圧装置で加圧してパイロットバーナに所望量のガスを供給することができる。
【００１３】
請求項４に記載の発明は、前記パイロットバーナは、予混合バーナであり、前記パイロットバーナへの燃焼用空気路に、エゼクタが設けられ、このエゼクタによりガスを吸引して燃焼用空気と共に前記パイロットバーナへ送り込むことを特徴とする請求項１または請求項２に記載のボイラである。
【００１４】
請求項４に記載の発明によれば、ガス供給圧が比較的低くても、パイロットバーナへの燃焼用空気をエゼクタに通す際の吸引力を利用して、パイロットバーナに所望量のガスを供給することができる。
【００１５】
請求項５に記載の発明は、前記メインバーナは、三位置以上で燃焼量が調整され、前記メインバーナが高燃焼状態では、前記パイロットバーナの連続燃焼を停止することを特徴とする請求項１〜４のいずれか１項に記載のボイラである。
【００１６】
請求項５に記載の発明によれば、ガス供給圧が比較的低い場合、メインバーナの高燃焼中はパイロットバーナの連続燃焼を停止することで対応できる。
【００１７】
請求項６に記載の発明は、前記パイロットバーナへのガス供給圧が設定値以下になると、前記パイロットバーナの連続燃焼を停止するか、これに代えてまたはこれに加えて、前記缶体内の炉圧が所定値以上になると、前記パイロットバーナの連続燃焼を停止することを特徴とする請求項１〜４のいずれか１項に記載のボイラである。
【００１８】
請求項６に記載の発明によれば、ガス供給圧や炉圧に基づき、パイロットバーナの連続燃焼を制御することができる。
【００１９】
さらに、請求項７に記載の発明は、前記パイロットバーナの停止状態から燃焼状態への移行時、前記メインバーナの燃焼中であっても、前記パイロットバーナの点火装置を作動させることを特徴とする請求項５または請求項６に記載のボイラである。
【００２０】
請求項７に記載の発明によれば、パイロットバーナに再点火する際、メインバーナの燃焼の有無に関わらず点火装置を作動させることで、パイロットバーナに安定して確実に点火することができる。
【発明の効果】
【００２１】
本発明によれば、パイロットバーナを連続燃焼させるボイラにおいて、ガス供給圧が比較的低くても所期の運転を継続することができる。
【図面の簡単な説明】
【００２２】
【図１】本発明のボイラの一実施例を示す概略図である。
【発明を実施するための形態】
【００２３】
以下、本発明の具体的実施例を図面に基づいて詳細に説明する。
図１は、本発明のボイラ１の一実施例を示す概略図である。
【００２４】
本実施例のボイラ１は、多数の水管を備えた缶体２と、この缶体２の水管内の水を加熱するメインバーナ３と、このメインバーナ３に点火するためのパイロットバーナ４と、前記各バーナ３，４に燃焼用空気を供給する送風機５と、メインバーナ３へ燃料ガスを供給する第一ガス供給路６と、パイロットバーナ４へ燃料ガスを供給する第二ガス供給路７とを主要部として備える。なお、本実施例では、同一のガス供給源からのガスが、第一ガス供給路６と第二ガス供給路７とに分岐して、各バーナ３，４へ供給される。
【００２５】
缶体２は、上部管寄せと下部管寄せとの間を多数の水管で接続して構成され、缶体カバーで覆われる。缶体２の形状は、特に問わないが、本実施例では角形とされる。缶体２は、下部管寄せから適宜給水され、缶体２内の水位は所望に維持される。缶体２は、一端部にメインバーナ３が設けられ、他端部に排ガス路８が接続される。排ガス路８には、所望によりエコノマイザが設けられる。メインバーナ３からの燃焼ガス（当初は火炎を含む）は、各水管内の水と熱交換した後、排ガスとして排ガス路８から排出される。メインバーナ３からの燃焼ガスにより、各水管内の水は加熱され、蒸気として上部管寄せから気水分離器９を介して導出される。
【００２６】
メインバーナ３は、本実施例では予混合バーナとされるが、場合により先混合バーナであってもよい。図示例では、平面状の燃焼面（予混合気噴出面）を有する完全予混合式のバーナとされる。このメインバーナ３は、本実施例では、燃焼量を段階的に変更可能とされる。たとえば、高燃焼（１００％燃焼）、低燃焼（たとえば５０％燃焼）および停止の三位置で燃焼量が切り替えられる。詳細は後述するが、メインバーナ３には、燃焼量に応じた量の燃焼用空気とガスとが供給される。
【００２７】
パイロットバーナ４は、メインバーナ３に近接して設けられる。パイロットバーナ４は、先混合バーナであってもよいし、予混合バーナであってもよい。パイロットバーナ４は、点火装置（図示省略）により点火され、メインバーナ３は、パイロットバーナ４により点火される。ボイラ１の運転中、パイロットバーナ４は、燃焼ステージ（メインバーナ３の燃焼量）に関わらず連続燃焼される。つまり、本実施例では、メインバーナ３は、高燃焼、低燃焼および停止の三位置で燃焼量を切り替えられるが、停止中も含め、パイロットバーナ４は連続燃焼される。
【００２８】
送風機５は、メインバーナ３とパイロットバーナ４とに燃焼用空気を供給する。本実施例では、送風機５は、メインバーナ３に対しては、送風機５より上流に設けたガス吸引機構１０により、空気とガスとの混合気を吸引して吐出する一方、パイロットバーナ４に対しては、空気のみ吸引して吐出する。そのため、送風機５は、メインバーナ３への予混合気を吐出するインペラ室（第一ケーシング）１１と、パイロットバーナ４への空気のみを吐出するインペラ室（第二ケーシング）１２とを備え、第一ケーシング１１内には第一インペラ（図示省略）が回転可能に設けられ、第二ケーシング１２内には第二インペラ（図示省略）が回転可能に設けられる。そして、第一インペラと第二インペラとは、同一の駆動軸に保持され、一つのモータで連動して駆動される。
【００２９】
なお、第一ケーシング１１と第二ケーシング１２とは、一部を共通化してもよい。この際、一つのケーシングを隔壁で仕切って、第一ケーシング１１と第二ケーシング１２とに分けてもよい。また、第一インペラと第二インペラとは、一体的に構成してもよい。具体的には、遠心式送風機として、第一インペラは、主板の片面に羽根が設けられて構成されるが、その主板の背面に第二インペラの羽根を設けてもよい。その場合、ケーシングは、各インペラの羽根が回転する空間を仕切るように、前記隔壁が設けられる。但し、場合により、メインバーナ３用の送風機５と、パイロットバーナ４用の送風機５とを、個別に設置してもよい。
【００３０】
本実施例では、第一ケーシング１１の吸込口には、吸込口への空気の吸込みに伴いガスを吸引して空気と共に吸込口へ送り込むガス吸引機構１０が設けられる。ガス吸引機構１０は、本実施例では、ベンチュリ管１３を備える。ベンチュリ管１３は、周知のとおり、スロートの前後にテーパ部を備えて構成される。具体的には、最小径部のスロート（符号省略）の上流側には、下流へ行くに従って縮径する漸次縮小管１４が設けられる一方、スロートの下流側には、下流へ行くに従って拡径する漸次拡大管１５が設けられている。
【００３１】
ベンチュリ管１３のスロート部には、第一ガス供給路６が接続されている。この第一ガス供給路６には、一対のガス遮断弁１６と、ガス圧力調整弁１７とが設けられる。ガス遮断弁１６は、メインバーナ３の燃焼時にのみ開放される弁である。ガス圧力調整弁１７は、二次側（下流側）のガス圧力を設定圧力に維持する弁である。ガス圧力調整弁１７は、本実施例ではゼロガバナから構成され、出口側の圧力を大気圧に調整する。
【００３２】
このようにして、第一ケーシング１１の吸込口には空気とガスとの予混合気が供給され、第一ケーシング１１の吐出口からの予混合気は、ダクト１８を介して、メインバーナ３へ供給される。一方、第二ケーシング１２の吸込口には空気のみが供給され、第二ケーシング１２の吐出口からの燃焼用空気は、パイロットバーナ４へ供給される。
【００３３】
本実施例のボイラ１の場合、送風機５の第一ケーシング１１への空気の吸込みを利用して、ベンチュリ管１３においてガスを吸引するので、ガス供給圧（ガス圧力調整弁１７より上流のガス圧）が比較的低くても、必要ガス量をメインバーナ３へ供給して、所期の燃焼を図ることができる。一方、ガス供給圧が比較的低いと、特にメインバーナ３の高燃焼時に、炉圧がガス供給圧よりも高くなり、パイロットバーナ４の燃焼が継続できないおそれがある。そこで、本実施例では、次のようにして、パイロットバーナ４における連続燃焼を可能としている。
【００３４】
パイロットバーナ４が先混合バーナである場合、パイロットバーナ４には、実線で示す空気路１９を介して燃焼用空気が供給されると共に、これとは別に、第二ガス供給路７を介してガスが供給される。この場合において、パイロットバーナ４への第二ガス供給路７には、ガス昇圧装置２０を設けるのがよい。これにより、ガス供給圧が比較的低くても、ガス昇圧装置２０で加圧してパイロットバーナ４に所望量のガスを供給することができる。
【００３５】
パイロットバーナ４が予混合バーナである場合、パイロットバーナ４には、二点鎖線で示す空気路１９´を介して燃焼用空気が供給されると共に、その途中で、第二ガス供給路７を介してガスが供給されて予混合され、その予混合気がパイロットバーナ４へ供給される。この場合において、燃焼用空気とガスとの合流部に、エゼクタ２１を設けるのがよい。送風機５の第二ケーシング１２からの燃焼用空気がエゼクタ２１のノズルへ噴き込まれ、それにより生じる負圧により第二ガス供給路７のガスを吸引して、空気と混合してパイロットバーナ４へ供給する。これにより、ガス供給圧が比較的低くても、エゼクタ２１の吸引力でガスを引き込んで、パイロットバーナ４に所望量のガスを供給することができる。
【００３６】
ボイラ１は、図示しない制御器より制御される。制御器は、蒸気圧に基づきメインバーナ３の燃焼量を調整するなど、以下に述べる各種制御を行う。
【００３７】
ボイラ１の運転中、パイロットバーナ４は、連続的に燃焼を継続する。パイロットバーナ４においてガスを燃焼させるには、送風機５を作動させると共に、第二ガス供給路７に設けたガス供給弁（図示省略）を開放すればよい。
【００３８】
一方、メインバーナ３においてガスを燃焼させるには、送風機５を作動させると共に、ガス遮断弁１６を開放すればよい。逆に、メインバーナ３における燃焼を停止するには、ガス遮断弁１６を閉鎖すればよい。
【００３９】
前述したように、本実施例の送風機５は、メインバーナ３用の第一インペラと、パイロットバーナ４用の第二インペラとを、一つの駆動軸で回転させる。そして、パイロットバーナ４を連続燃焼させつつ、蒸気負荷との関係でメインバーナ３での燃焼を一時的に中止したい場合がある。このような場合において、メインバーナ３の停止中（ボイラ待機中）も、メインバーナ３への送風を行うと放熱損失が増すので、缶体２への給気側または缶体２からの排気側において、通風を規制するようにダンパを閉じるのが好ましい。たとえば、前記ベンチュリ管１３への給気路にダンパを設け、メインバーナ３を停止させる際、このダンパを閉じればよい。但し、メインバーナ３用の送風機５と、パイロットバーナ４用の送風機５とを、個別に設置する場合には、メインバーナ３における燃焼を停止する際、メインバーナ３用の送風機５を停止すると共に、ガス遮断弁１６を閉鎖すればよい。
【００４０】
メインバーナ３での燃焼を行う際、送風機５を運転すると、フィルタを介した外気がベンチュリ管１３を介して、送風機５の第一ケーシング１１の吸込口へ吸い込まれる。ベンチュリ管１３に空気が通される際、ベンチュリ管１３に負圧が生じ、第一ガス供給路６からガスがベンチュリ管１３へ引き込まれる。このようにして、送風機５の吸込口への空気の吸込みに伴い、ベンチュリ管１３においてガスを吸引して空気と共に、吸込口へ送り込まれる。そして、送風機５の第一ケーシング１１内において空気とガスとが混合され、ダクト１８を介してメインバーナ３へ供給され、メインバーナ３において燃焼される。
【００４１】
送風機５への空気の吸込みを利用して、ベンチュリ管１３においてガスを吸引するので、ガス供給圧（ガス圧力調整弁１７より上流のガス圧）が比較的低くても、所望のガス量をメインバーナ３へ供給して、所期の燃焼を図ることができる。たとえば、ガス供給圧が１００ｍｍＡｑであるのに対し高燃焼時の炉圧が１２０ｍｍＡｑである場合のように、ガス供給圧が高燃焼時の炉圧より低くても、本実施例のボイラ１によれば、ベンチュリ管１３においてガスを吸引することで、メインバーナ３に必要ガス量を供給することができる。一方、パイロットバーナ４へのガスは、ガス昇圧装置２０で加圧するか、エゼクタ２１で吸引して供給するので、ガス供給圧が比較的低くても、必要ガス量を供給することができる。
【００４２】
また、本実施例のボイラ１によれば、空気にガスを混入後、送風機５へ供給するので、送風機５において空気とガスとの混合を確実に図ることができる。さらに、第一ガス供給路６にガス圧力調整弁１７を設け、その出口側圧力を所定に維持することで、ベンチュリ管１３にて生じる負圧（言い換えればベンチュリ管１３の通風量）に応じた所望の流量で、安定してガスを空気に混入することができる。しかも、ガス圧力調整弁１７をゼロガバナから構成して、ガス圧力調整弁１７の出口側を大気圧とする場合、ベンチュリ管１３に空気が流れない限りガスが流れないので、送風機５停止時のガス漏れを確実に防止できる。
【００４３】
メインバーナ３の燃焼量の調整は、メインバーナ３へ供給される燃焼用空気とガスの流量を調整してなされる。燃焼用空気の流量の調整は、ベンチュリ管１３への空気導入口にダンパ（図示省略）を設けてこのダンパの位置を調整するか、これに代えてまたはこれに加えて、インバータを用いて送風機５のモータの回転速度を変えることでなされる。そして、前述したとおり、ベンチュリ管１３への通風量を変えれば、ガスの流量も変わるが、燃焼量に応じた空気比とするために、次のように構成するのが好ましい。すなわち、ベンチュリ管１３へのガス供給路にガス流量調整弁（図示省略）を設け、このガス流量調整弁によりメインバーナ３へのガス流量を調整するのがよい。ガス流量調整弁は、ガス圧力調整弁１７より下流に設置される開度調整可能な弁またはダンパである。燃焼量（本実施例では高燃焼または低燃焼などの燃焼ステージ）に応じて、ガス流量調整弁の開度を変更することで、燃焼量に応じた空気比に調整することができる。つまり、高燃焼時と低燃焼時とで、空気比を変えることができる。
【００４４】
次に、本実施例のボイラ１の変形例について説明する。前記実施例では、パイロットバーナ４へのガス供給は、ガス昇圧装置２０またはエゼクタ２１を用いて行ったが、これに代えて次のような制御を実行してもよい。なお、ガス昇圧装置２０またはエゼクタ２１を用いても、必要ガス量をパイロットバーナ４へ供給できないおそれがある場合にも、ガス昇圧装置２０またはエゼクタ２１を用いることに加えて、次のような制御を実行してもよい。
【００４５】
すなわち、メインバーナ３の燃焼量が設定以上の場合だけ、パイロットバーナ４の連続燃焼を停止するようにしてもよい。たとえば、メインバーナ３が高燃焼状態では、パイロットバーナ４の連続燃焼を停止すればよい。そして、低燃焼状態になれば、パイロットバーナ４の連続燃焼を再開すればよい。このように制御すれば、パイロットバーナ４へのガス供給圧が高燃焼時の炉圧よりも低くても、メインバーナ３の高燃焼中はパイロットバーナ４の連続燃焼を停止することで、それ以外はパイロットバーナ４の連続燃焼を継続できる。つまり、パイロットバーナ４へのガス供給圧が炉圧よりも低い場合には、パイロットバーナ４での燃焼を停止するのである。
【００４６】
あるいは、パイロットバーナ４へのガス供給圧（第二ガス供給路７の圧力）が設定以下になるか、および／または、缶体２内の炉圧が所定以上になると、パイロットバーナ４の連続燃焼を停止するようにしてもよい。つまり、パイロットバーナ４へのガス供給圧をセンサで監視し、パイロットバーナ４へのガス供給圧が設定値以下になると、パイロットバーナ４の連続燃焼を停止し、パイロットバーナ４へのガス供給圧が設定値を超えると、パイロットバーナ４の連続燃焼を再開すればよい。また、これに代えてまたはこれに加えて、炉圧をセンサで監視し、炉圧が所定値以上になると、パイロットバーナ４の連続燃焼を停止し、炉圧が所定値未満になると、パイロットバーナ４の連続燃焼を再開すればよい。なお、設定値や所定値にディファレンシャルが設定可能なことは言うまでもない。
【００４７】
パイロットバーナ４における燃焼を停止するには、第二ガス供給路７に設けたガス供給弁（図示省略）を閉鎖すればよい。本実施例の送風機５のように、メインバーナ３用の第一インペラとパイロットバーナ４用の第二インペラとが同一の駆動軸で回転する場合において、パイロットバーナ４のみの燃焼を停止するには、前記ガス供給弁を閉じるが、送風機５の回転の継続が必要となる。そこで、送風機５の第二ケーシング１２の入口側もしくは出口側に設けたダンパを閉じればよい。但し、メインバーナ３用の送風機５と、パイロットバーナ４用の送風機５とを、個別に設置する場合には、パイロットバーナ４における燃焼を停止する際、パイロットバーナ４用の送風機５を停止すると共に、第二ガス供給路７のガス供給弁を閉鎖すればよい。
【００４８】
一方、パイロットバーナ４における燃焼再開時、パイロットバーナ４に燃焼用空気とガスとを供給するが、パイロットバーナ４の停止状態から燃焼状態への移行時、メインバーナ３の燃焼中であっても、パイロットバーナ４の点火装置（点火トランス）を一定時間作動させるのがよい。パイロットバーナ４に再点火する際、メインバーナ３の燃焼の有無に関わらず点火装置を作動させることで、パイロットバーナ４に安定して確実に点火することができる。
【００４９】
本発明のボイラ１は、前記実施例の構成に限らず適宜変更可能である。特に、パイロットバーナ４において連続燃焼を行うボイラ１において、パイロットバーナ４は、ガス昇圧装置２０またはエゼクタ２１を用いてガスが供給されるか、メインバーナ３の燃焼量が設定以上またはパイロットバーナ４へのガス供給圧が設定以下になると連続燃焼を停止するのであれば、その他の構成は適宜に変更可能である。
【００５０】
たとえば、ボイラ１の缶体２は、角形に限らず円筒型としてもよく、その場合、メインバーナ３は缶体２の上部に、下方へ向けて設置するのがよい。
【００５１】
また、前記実施例では、メインバーナ３への燃焼用空気へのガスの混合は、送風機５より上流側で行ったが、場合により送風機５よりも下流側で行ってもよい。その場合、各バーナ３，４に対し送風機５は空気のみを吸引して吐出することになるので、ケーシング１１，１２やインペラを必ずしも二つ用意する必要はなく、送風機５から吐出される空気を各バーナ３，４へ分岐して供給すればよい。
【００５２】
さらに、前記実施例では、メインバーナ３の燃焼量を、高燃焼、低燃焼および停止の三位置で制御したが、高燃焼、中燃焼、低燃焼および停止の四位置で制御したり、単にオンオフ制御したりしてもよい。あるいは、蒸気の使用負荷に比例して、連続的に燃焼量を調整する比例制御を行ってもよい。
【符号の説明】
【００５３】
１  ボイラ
２  缶体
３  メインバーナ
４  パイロットバーナ
５  送風機
６  第一ガス供給路
７  第二ガス供給路
８  排ガス路
９  気水分離器
１０  ガス吸引機構
１１  第一ケーシング
１２  第二ケーシング
１３  ベンチュリ管
１４  漸次縮小管
１５  漸次拡大管
１６  ガス遮断弁
１７  ガス圧力調整弁
１８  ダクト
１９  空気路
２０  ガス昇圧装置
２１  エゼクタ
【図１】
2015190647.tif 000003